(57)【要約】【課題】耐久性があり、かつ描きやすい筆記具を提供する。【解決手段】本体部２から先端部３１が突出し、かつ本体部２内のインク吸蔵体２１に尾端部３３が接触して設けられたインク部材３を有する筆記具１であって、先端部３１の先端面３２は、各辺の長さが異なり、かつ隣り合う２辺が作る全ての内角が直角以上となる５角形以上の多角形状である。また、先端部３１の先端面３２は、最も長い辺に隣り合う両辺が、最も短い辺および２番目に短い辺となるように構成されている。【選択図】図２
2020066156.tif 000002
【特許請求の範囲】
【請求項１】
本体部から先端部が突出し、かつ前記本体部内のインク吸蔵体に尾端部が接触して設けられたインク部材を有する筆記具であって、
前記先端部の先端面は、各辺の長さが異なり、かつ隣り合う２辺が作る全ての内角が直角以上となる５角形以上の多角形状である
ことを特徴とする筆記具。
【請求項２】
前記先端部の先端面は、最も長い辺に隣り合う両辺が、最も短い辺および２番目に短い辺となるように構成された
ことを特徴とする請求項１記載の筆記具。
【請求項３】
前記先端部の先端面は、各辺が作る内角のうち、最大角と最小角の角度差が最も小さくなるように構成された
ことを特徴とする請求項１または２記載の筆記具。
【発明の詳細な説明】
【技術分野】
【０００１】
本発明は、先端部の先端面が多角形状である筆記具に関する。
【背景技術】
【０００２】
従来、筆記具は、インクが吸蔵されたインク吸蔵体を内部に備えた本体部と、本体部から先端部が突出して設けられ、インク吸蔵体のインクを先端部から浸出させるインク部材とを有している。
【０００３】
筆記具による筆跡は、この先端部の形状、特に、先端部の先端面の形状により異なる。そのため、１本で幅が異なる文字を筆記できる筆記具が切望されていた。そこで、先端部の先端面の形状を多角形状とし、先端面のある一辺を用紙に接触させることにより、文字や線の筆跡を所望の幅にできる筆記具が開発されている。特に、ＰＯＰ（Point of purchase）広告は、商品名、価格、キャッチコピー、イラストなどが、消費者の注目を引くように、特徴のある様々な字体や図柄を描く必要がある。そのため、所望の幅で描くことができる筆記具はユーザにとって利便性が高い。
【０００４】
例えば、特許文献１には、筆記用の尖端の先端面が、３辺以上の端辺を有する多角形状であると共に端辺の長さが各々異なる筆記用器具に関する技術が開示されている。
【先行技術文献】
【特許文献】
【０００５】
【特許文献１】実開平５−７８５９２号公報
【発明の概要】
【発明が解決しようとする課題】
【０００６】
しかしながら、特許文献１に記載の筆記用器具では、隣り合った２辺が作る内角が、鋭角であるので、鋭角の部分に強い応力がかかり端部が潰れてしまうことがあった。
【０００７】
また、ＰＯＰ広告などを描く場合、曲線を描くことが多いが、内角が鋭角であると、曲線を描く場合に鋭角の部分が用紙に引っ掛かり所望の字体や絵柄を描くことができない場合があった。
【０００８】
特に、曲線を描きながら筆記具を回転させることにより用紙に接触させる辺を他の辺に移行させて自然に線幅を変える描画技法があるが、このような技法を用いる場合は特に鋭角の部分が用紙に引っ掛かることが多い。
【０００９】
本発明は、上記問題点に鑑みてなされたものであり、耐久性があり、かつ描きやすい筆記具を提供することを目的とする。
【課題を解決するための手段】
【００１０】
上記目的を解決するため、本発明に係る筆記具の第１の特徴は、
本体部から先端部が突出し、かつ前記本体部内のインク吸蔵体に尾端部が接触して設けられたインク部材を有する筆記具であって、
前記先端部の先端面は、各辺の長さが異なり、かつ隣り合う２辺が作る全ての内角が直角以上となる５角形以上の多角形状であることにある。
【００１１】
上記目的を解決するため、本発明に係る筆記具の第２の特徴は、
前記先端部の先端面は、最も長い辺に隣り合う両辺が、最も短い辺および２番目に短い辺となるように構成されたことにある。
【００１２】
上記目的を解決するため、本発明に係る筆記具の第３の特徴は、
前記先端部の先端面は、各辺が作る内角のうち、最大角と最小角の角度差が最も小さくなるように構成されたことにある。
【発明の効果】
【００１３】
本発明に係る筆記具によれば、耐久性があり、かつユーザにとって描き易くなる。
【図面の簡単な説明】
【００１４】
【図１】本発明の実施例１である筆記具の概略構成を示した概略構成図である。
【図２】（ａ）は、比較のため、従来技術の筆記具の先端面の形状を示した図であり、（ｂ）〜（ｄ）は、本発明の実施例１である筆記具の先端面の形状を示した図である。
【図３】（ａ）〜（ｄ）は、本発明の実施例２である筆記具の先端面の形状を示した図である。
【図４】本発明の実施例３である筆記具の概略構成を示した概略構成図である。
【発明を実施するための形態】
【００１５】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１６】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１７】
以下、本発明を実施するための形態について図面を参照して説明する。
【００１８】
＜実施例１＞
図１は、本発明の実施例１である筆記具の概略構成を示した概略構成図である。
【００１９】
図１に示すように、本発明の実施例１である筆記具１は、本体部２と、インク部材３と、保持部材４とを備えている。
【００２０】
本体部２は、筒体２２の内部にインク吸蔵体２１を有している。インク吸蔵体２１は、極細繊維などで成形されており、インクが吸蔵されている。
【００２１】
保持部材４は、筒体２２にインク部材３を保持するための部材である。
【００２２】
インク部材３は、繊維、フェルトまたは類似の外孔性若しくは毛状材料等の材料を用いて棒状に形成されている。そして、インク部材３は、本体部２から先端部３１が突出し、かつ本体部２内のインク吸蔵体２１に尾端部３３が接触して設けられている。
【００２３】
先端部３１の先端面３２は、５角形状を有している。
【００２４】
図２（ａ）は、比較のため、従来技術の筆記具の先端面の形状を示した図であり、図２（ｂ）〜（ｄ）は、本発明の実施例１である筆記具１の先端面３２の形状を示した図である。なお、ここでは、図２（ｂ）〜（ｄ）に示すそれぞれの先端面３２を区別するため、先端面３２Ａ〜３２Ｃで示している。
【００２５】
図２（ａ）に示すように、従来技術の先端面５２は、それぞれ長さが異なる辺５２ａ〜辺５２ｅの５辺により５角形が形成されている。ここでは、辺の長さが長い順に、辺５２ａ〜辺５２ｅとなっている。なお、参考のため、辺５２ａを有する正５角形を、破線で描いている。
【００２６】
５角形を形成する辺５２ａ〜辺５２ｅにより、それぞれ作られる内角５３ａ〜５３ｅは、様々な角度となっている。例えば、互いに隣り合う辺５２ａと５２ｂとで作られる内角５３ａは鋭角となっており、その他の内角５３ｂ〜５３ｅは鈍角となっている。
【００２７】
内角５３ａは鋭角であると、ユーザが描画する際、端部５４ａに強い応力がかかり端部５４ａが潰れてしまうことがあった。また、曲線を描く場合に端部５４ａが用紙に引っ掛かり所望の字体や絵柄を描くことができない場合がある。さらに、曲線を描きながら筆記具を回転させることにより、用紙に接触させる辺を他の辺に移行させて自然に線幅を変える描画技法で文字などを描く場合、特に端部５４ａが用紙に引っ掛かり易い。そのため、特に、ＰＯＰ広告などを描くことが非常に困難となる。
【００２８】
そこで、図２（ｂ）〜（ｄ）に示すように、本発明の実施例１である筆記具１では、先端部３１の先端面３２は、各辺の長さが異なり、かつ隣り合う２辺が作る全ての内角が直角以上となっている。
【００２９】
例えば、図２（ｂ）では、先端面３２Ａは、それぞれ長さが異なる辺４１ａ〜辺４１ｅの５辺により５角形が形成されている。ここでは、辺の長さが長い順に、辺４１ａ、辺４１ｃ、辺４１ｂ、辺４１ｅ、辺４１ｄとなっている。例えば、辺４１ａが１６ｍｍ、辺４１ｃが１３ｍｍ、辺４１ｂが１０ｍｍ、辺４１ｅが７ｍｍ、辺４１ｄが４ｍｍである。なお、参考のため、辺４１ａを有する正５角形を、破線で描いている。
【００３０】
５角形を形成する辺４１ａ〜辺４１ｅにより、それぞれ作られる内角４２ａ〜４２ｅは、全て直角以上となっている。具体的には、内角４２ａ、内角４２ｂ、内角４２ｅは、直角であり、内角４２ｃ、内角４２ｄは、鈍角である。
【００３１】
これにより、ユーザが描画する際、端部に強い応力がかかることがないので、端部が潰れ難い。また、全ての内角が直角以上であるので、曲線を描く場合に端部が用紙に引っ掛かり難く、ユーザはストレスなく所望の字体や絵柄を描くことができる。さらに、曲線を描きながら筆記具を回転させることにより、用紙に接触させる辺を他の辺に移行させて自然に線幅を変える描画技法で文字などを描く場合においても、端部が用紙に引っ掛かることがない。そのため、特に、ＰＯＰ広告などを描くことが容易になる。
【００３２】
図２（ｃ）では、先端面３２Ｂは、それぞれ長さが異なる辺４３ａ〜辺４３ｅの５辺により５角形が形成されている。ここでは、辺の長さが長い順に、辺４３ａ、辺４３ｃ、辺４３ｄ、辺４３ｂ、辺４３ｅとなっている。最も長い辺４３ａに隣り合う辺は、辺４３ｂ、４３ｅとなる。辺４３ｅは５辺のうち最も短い辺であり、辺４３ｂは５辺のうち２番目に短い辺である。
【００３３】
このように、図２（ｃ）に示した先端面３２Ｂは、最も長い辺４３ａに隣り合う４３ｅが最も短い辺、そして、最も長い辺４３ａに隣り合う辺４３ｂが２番目に短い辺となるように構成されている。そのため、ユーザは辺４３ａを用紙に接触させて最も太い線幅で線を描いたのち、本体部２を回転させて隣接する短い辺４３ｂ、４３ｅのいずれかを用紙に接触させて描くことができる。このとき、端部が用紙に引っ掛かり難く、太線から細線、または細線から太線の線を自然に描くことができる。
【００３４】
図２（ｄ）では、先端面３２Ｃは、それぞれ長さが異なる辺４５ａ〜辺４５ｅの５辺により５角形が形成されている。ここでは、辺の長さが長い順に、辺４５ａ、辺４５ｄ、辺４５ｃ、辺４５ｂ、辺４５ｅとなっている。最も長い辺４５ａに隣り合う辺は、辺４５ｂ、４５ｅとなる。辺４５ｅは５辺のうち最も短い辺であり、辺４５ｂは５辺のうち２番目に短い辺である。
【００３５】
さらに、先端部３１の先端面３２Ｃは、各辺が作る内角のうち、最大角と最小角の角度差が最も小さくなるように構成されている。ここでは、最大角である内角４６ｅの角度をθ１とし、最小角である内角４６ｂの角度をθ２とすると、その角度差θ３（＝θ１−θ２）が最小となるように、辺と内角が設けられている。
【００３６】
このように、先端部３１の先端面３２Ｃは、最大角と最小角の角度差が最も小さくなるように構成されているので、正５角形に最も近い形となる。そのため、ユーザは辺４５ａ〜辺４５ｅのいずれかを用紙に接触させて線を描いたのち、本体部２を回転させて隣接する辺を用紙に接触させて描く際、より端部が用紙に引っ掛かり難いので、線幅の異なる線を連続して自然に描くことができる。
【００３７】
＜実施例２＞
本発明の実施例１では、先端部３１の先端面３２が５角形状を有している筆記具１を例に挙げて説明したが、先端面３２の形状は５角形状に限らず、５角形以上の多角形状であればよい。
【００３８】
本発明の実施例２では、先端部３１の先端面３２が６角形状を有している筆記具１Ａを例に挙げて説明する。
【００３９】
図３（ａ）〜図３（ｄ）は、本発明の実施例２である筆記具１Ａの先端面３２の形状を示した図である。なお、ここでは、図３（ａ）〜（ｄ）に示すそれぞれの先端面３２を区別するため、先端面３２Ｄ〜３２Ｇで示している。
【００４０】
図３（ａ）に示すように、先端面３２Ｄは、それぞれ長さが異なる辺６１ａ〜辺６１ｆの６辺により６角形が形成されている。ここでは、辺の長さが長い順に、辺６１ａ、辺６１ｂ、辺６１ｄ、辺６１ｃ、辺６１ｅ、辺６１ｆとなっている。なお、参考のため、辺６１ａを有する正６角形を、破線で描いている。
【００４１】
６角形を形成する辺６１ａ〜６１ｆにより、それぞれ作られる内角６２ａ〜６２ｆは、全て直角以上となっている。具体的には、内角６２ａは直角であり、それ以外の内角６２ｂ〜内角６２ｆは鈍角である。
【００４２】
これにより、本発明の実施例１である筆記具１と同様に、本発明の実施例２である筆記具１Ａは、ユーザが描画する際、端部に強い応力がかかることがないので、端部が潰れ難い。また、全ての内角が直角以上であるので、曲線を描く場合に端部が用紙に引っ掛かることがなく、ユーザはストレスなく所望の字体や絵柄を描くことができる。さらに、曲線を描きながら筆記具を回転させることにより、用紙に接触させる辺を他の辺に移行させて自然に線幅を変える描画技法で文字などを描く場合においても、端部が用紙に引っ掛かることがない。そのため、特に、ＰＯＰ広告などを描くことが容易になる。
【００４３】
また、内角は全て鈍角でもよい。
【００４４】
図３（ｂ）に示すように、先端面３２Ｅは、それぞれ長さが異なる辺６３ａ〜辺６３ｆの６辺により６角形が形成されている。ここでは、辺の長さが長い順に、辺６３ａ、辺６３ｃ、辺６３ｅ、辺６３ｂ、辺６３ｆ、辺６３ｄとなっている。なお、参考のため、辺６３ａを有する正６角形を、破線で描いている。
【００４５】
６角形を形成する辺６３ａ〜６３ｆにより、それぞれ作られる内角６４ａ〜６４ｆは、全て鈍角となっている。
【００４６】
図３（ｃ）では、先端面３２Ｆは、それぞれ長さが異なる辺６５ａ〜辺６５ｆの６辺により６角形が形成されている。ここでは、辺の長さが長い順に、辺６５ａ、辺６５ｃ、辺６５ｅ、辺６５ｄ、辺６５ｂ、辺６５ｆとなっている。最も長い辺６５ａに隣り合う辺は、辺６５ｂ、６５ｆとなる。辺６５ｆは６辺のうち最も短い辺であり、辺６５ｂは６辺のうち２番目に短い辺である。
【００４７】
このように、図３（ｃ）に示した先端面３２Ｆは、最も長い辺６５ａに隣り合う６５ｆが最も短い辺、そして、最も長い辺６５ａに隣り合う辺６５ｂが２番目に短い辺となるように構成されているので、ユーザは辺６５ａを用紙に接触させて最も太い線幅で線を描いたのち、本体部２を回転させて隣接する短い辺６５ｂ、６５ｆのいずれかを用紙に接触させて描くことができる。このとき、端部が用紙に引っ掛かり難く、太線から細線、または細線から太線の線を自然に描くことができる。
【００４８】
図３（ｄ）では、先端面３２Ｇは、それぞれ長さが異なる辺６７ａ〜辺６７ｅの６辺により６角形が形成されている。ここでは、辺の長さが長い順に、辺６７ａ、辺６７ｃ、辺６７ｅ、辺６７ｄ、辺６７ｆ、辺６７ｂとなっている。最も長い辺６７ａに隣り合う辺は、辺６７ｂ、６７ｆとなる。辺６７ｂは６辺のうち最も短い辺であり、辺６７ｆは６辺のうち２番目に短い辺である。
【００４９】
さらに、先端部３１の先端面３２Ｇは、各辺が作る内角のうち、最大角と最小角の角度差が最も小さくなるように構成されている。ここでは、最大角である内角６８ｅの角度をθ４とし、最小角である内角６８ｃの角度をθ５とすると、その角度差θ６（＝θ４−θ５）が最小となるように、辺と内角が設けられている。
【００５０】
このように、先端部３１の先端面３２Ｇは、最大角と最小角の角度差が最も小さくなるように構成されているので、正６角形に最も近い形となる。そのため、ユーザは辺６７ａ〜辺６７ｅのいずれかを用紙に接触させて線を描いたのち、本体部２を回転させて隣接する辺を用紙に接触させて描く際、より端部が用紙に引っ掛かり難いので、線幅の異なる線を連続して自然に描くことができる。
【００５１】
＜実施例３＞
また、先端部３１は、テーパーを持たせるようにしてもよい。
【００５２】
図４は、本発明の実施例３である筆記具１Ｂの概略構成を示した概略構成図である。
【００５３】
図４に示すように、本発明の実施例３である筆記具１Ｂは、本体部２と、インク部材３Ｂと、保持部材４とを備えている。本体部２と保持部材４とは、本発明の実施例１である筆記具１が備える本体部２と保持部材４と同一構成を有するので、説明を省略する。
【００５４】
インク部材３Ｂは、繊維、フェルトまたは類似の外孔性若しくは毛状材料等の材料を用いて棒状に形成されている。そして、インク部材３Ｂは、本体部２から先端部３１Ｂが突出し、かつ本体部２内のインク吸蔵体２１に尾端部３３Ｂが接触して設けられている。
【００５５】
先端部３１Ｂの先端面３２Ｈは、５角形状を有している。
【００５６】
また、インク部材３Ｂの先端側が先細りとなるように、先端部３１Ｂには、傾斜面３４が設けられている。
【００５７】
これにより、曲線を描く場合に端部が用紙により引っ掛かり難くなるので、ユーザはストレスなく所望の字体や絵柄を描くことができる。
【符号の説明】
【００５８】
１，１Ａ，１Ｂ  筆記具
２  本体部
３，３Ｂ  インク部材
４  保持部材
２１  インク吸蔵体
２２  筒体
３１，３１Ｂ  先端部
３２，３２Ａ，３２Ｂ，３２Ｃ，３２Ｄ，３２Ｅ，３２Ｆ，３２Ｇ，３２Ｈ  先端面
３３  尾端部
３３Ｂ  尾端部
３４  傾斜面
【図１】
2020066156.tif 000003
【図２】
2020066156.tif 000004
【図３】
2020066156.tif 000005
【図４】
2020066156.tif 000006